(57)【要約】【課題】ボックスの形態とする組み立て状態と、全体を折り畳み重ね合わせる折り畳み重ね合わせ状態とを簡単に切り換えることができ、その折り畳み重ね合わせ状態が不用意にばらけないようにして、折り畳み重ね合わせ状態での保管や移動がし易い保冷ボックスを提供する。【解決手段】台板１上にバック本体２Ａを乗載し、前者のフラップ部１ａ〜１ｄのベルベットファスナと後者の外周のベルベットファスナとを掛け合わせて、バック２を台板１上に固定する。断熱枠板３の外周とバック本体２Ａの内周のベルベットファスナどうしを掛け合わせることにより、断熱枠板でバック本体を箱形に保持する。バック２の上蓋２Ｂのフラップ部６ａ〜６ｃのベルベットファスナをバック本体のベルベットファスナに掛け合わせて、上蓋でバック本体の上面開口を閉じる。バック本体を、その上蓋及び断熱枠板と共に台板上に折り畳み重ね合わせ状態にできる。【選択図】図２
2008230677.tif 000002
【特許請求の範囲】
【請求項１】
四辺のそれぞれにフラップ部を折り返し可能に延設したキャスタ付き台板と、その上に乗載できるように断熱性シート材でバック本体を箱状に成形され、その一辺から断熱性シート材の上蓋を延設するとともに、該上蓋の三辺にフラップ部を折り返し可能に延設した折り畳み可能な有底のバックと、そのバック本体に収納してバックと共に折り畳むことができる四面の断熱枠板とからなり、
前記台板の四辺のフラップ部と前記バック本体の外周四面の下部、前記上蓋の三辺のフラップ部と前記バック本体の外周三面の上部、前記断熱枠板の外周四面とバック本体の内周四面のそれぞれにつき、対応する雌雄のベルベットファスナを設け、
台板上にバック本体を乗載し、前者の四辺のフラップ部のベルベットファスナと後者の外周四面のベルベットファスナとを掛け合わせることにより、バックを台板上に固定できるとともに、断熱枠板の外周四面とバックの内周四面のベルベットファスナとを掛け合わせることにより、断熱枠板をバック本体の内周の四面に沿わせて、該断熱枠板でバック本体を箱形に保持でき、また、上蓋の三辺のフラップ部のベルベットファスナをバック本体の外周三面のベルベットファスナに掛け合わせることにより、上蓋でバック本体の上面開口を閉じることができ、
また、バック本体をその上蓋及び断熱枠板と共に台板上に折り畳み、上蓋の三辺のフラップ部のベルベットファスナと台板の三辺のフラップ部のベルベットファスナとを掛け合わせることにより、全体を折り畳み重ね合わせ状態にできる
ようにしたことを特徴とする折り畳み型保冷ボックス。
【請求項２】
断熱枠板は、断熱性シート材にて四面のそれぞれを扁平な袋状とし、各面の袋状部に発泡樹脂製断熱板を収納したものであることを特徴とする請求項１に記載の折り畳み型保冷ボックス。
【請求項３】
断熱枠板の断熱性シート材による袋状部どうしは、断熱性シート材による連結角部で連結されて折り畳むことができるようになっていることを特徴とする請求項２に記載の折り畳み型保冷ボックス。
【請求項４】
バックの上蓋の内面と断熱枠板の内周面の少なくとも一方に、冷媒や保冷材等を収容する冷材ポケットを設けたことを特徴とする請求項１、２又は３に記載の折り畳み型保冷ボックス。
【請求項５】
バック本体に把手を設けたことを特徴とする請求項１、２、３又は４に記載の折り畳み型保冷ボックス。
【請求項６】
台板、バック本体及び断熱枠板が長方形で、バック本体及び断熱枠板は、その短辺の側面を内側へ二つ折りできるようになっていることを特徴とする請求項１、２、３、４又は５に記載の折り畳み型保冷ボックス。
【請求項７】
台板のキャスタは、台板の長方形の下面に対し、その片側の組のキャスタと反対側の組のキャスタとが、台板の短辺の端縁からの距離を違えて取り付けてあることを特徴とする請求項６に記載の折り畳み型保冷ボックス。
【発明の詳細な説明】
【技術分野】
【０００１】
本発明は、食品や飲料などを保冷（０℃以下に冷蔵又は冷凍する場合も含む）して、輸送したり貯蔵するための折り畳み型保冷ボックス、特に、キャスタ付きとした大型の保冷ボックスに関する。
【背景技術】
【０００２】
このような保冷ボックスを記載した文献として、特許文献１（特開平１１−１０００２９号公報）及び特許文献２（特開平６−３４５１４５号公報）がある。
【０００３】
特許文献１に記載のものは、保冷保温ボックスと、これを乗せたまま双方を折り畳み又は組立て可能とするかご車とからなる。このかご車は、保冷保温ボックスの少なくとも２つの側板を外側から包囲する囲い枠及び保冷保温ボックスを積載する台座板を着脱自在若しくは枢動自在な結合部によって相互に連結してなるかご車本体と、その下部に取り付けられたキャスタとから構成されている。保冷保温ボックスをかご車本体と共に折り畳む際、保冷保温ボックスの底板を逆Ｖ字形に折り畳み、保冷保温ボックスの下側扉板を上側扉板の内側に折曲げ部で折り曲げ、保冷保温ボックスの底板と正面板の各折曲げ部が上下方向において近接するように位置決めされ、これに伴って折り畳まれた正面板の上部空間部に保冷保温ボックスの天板が背板との連結部を中心に回転して位置決めされ、その後一方の側板がかご車本体の囲い枠との締結を外されて内側に折り曲げられ、この側板にかご車の台座板を重ねるように折り畳み、次いで保冷保温ボックスの側板との締結を外された囲い枠を台座板に重ねるように折り畳むようにしたものである。
【０００４】
特許文献２に記載のものは、後パネルに対して天井パネル、底面パネル、及び左右の側パネルが内側に向けて折曲自在に枢着されており、さらに、側パネルの一方には扉パネルが回動自在に枢着されており、かつ、左右の側パネルの底部にはキャスタが装着されていて、物品非収容時には、後パネルの内面側に天井パネル、底面パネル、及び左右の側パネルとを折り込むことにより全体として上面視ほぼ方形状に折り畳むことができ、物品収容時には方形箱型に組み立てることができるようにしたものである。
【特許文献１】特開平１１−１０００２９号公報
【特許文献２】特開平６−３４５１４５号公報
【発明の開示】
【発明が解決しようとする課題】
【０００５】
本発明の課題は、上記の従来のものに比べ、製造が容易で安価に提供できるとともに、使用時と不使用時の二つの形態、すなわち、物品を収容するためにボックスの形態とする組み立て状態と、全体を折り畳み重ね合わせる折り畳み重ね合わせ状態とを簡単に切り換えることができ、しかも、その折り畳み重ね合わせ状態が不用意にばらけないようにして、折り畳み重ね合わせ状態での保管や移動がし易い保冷ボックスを提供することにある。
【課題を解決するための手段】
【０００６】
＜請求項１に係る発明＞
本発明の折り畳み型保冷ボックスは、四辺のそれぞれにフラップ部を折り返し可能に延設したキャスタ付き台板と、その上に乗載できるように断熱性シート材でバック本体を箱状に成形され、その一辺から断熱性シート材の上蓋を延設するとともに、該上蓋の三辺にフラップ部を折り返し可能に延設した折り畳み可能な有底のバックと、そのバック本体に収納してバックと共に折り畳むことができる四面の断熱枠板とからなる。
台板の四辺のフラップ部とバック本体の外周四面の下部、上蓋の三辺のフラップ部とバック本体の外周三面の上部、断熱枠板の外周四面とバック本体の内周四面のそれぞれにつき、対応する雌雄のベルベットファスナが設けてある。
台板上にバック本体を乗載し、前者の四辺のフラップ部のベルベットファスナと後者の外周四面のベルベットファスナとを掛け合わせることにより、バックを台板上に固定できるとともに、断熱枠板の外周四面とバックの内周四面のベルベットファスナとを掛け合わせることにより、断熱枠板をバック本体の内周の四面に沿わせて、該断熱枠板でバック本体を箱形に保持でき、また、上蓋の三辺のフラップ部のベルベットファスナをバック本体の外周三面のベルベットファスナに掛け合わせることにより、上蓋でバック本体の上面開口を閉じることができる。
一方、バック本体をその上蓋及び断熱枠板と共に台板上に折り畳み、上蓋の三辺のフラップ部のベルベットファスナと台板の三辺のフラップ部のベルベットファスナとを掛け合わせることにより、全体を折り畳み重ね合わせ状態にできる。
【０００７】
好ましい具体的形態には次のような形態がある。
＜請求項２に係る発明＞
断熱枠板は、断熱性シート材にて四面のそれぞれを扁平な袋状とし、各面の袋状部に発泡樹脂製断熱板を収納したものである。
＜請求項３に係る発明＞
断熱枠板の断熱性シート材による袋状部どうしは、断熱性シート材による連結角部で連結されて折り畳むことができるようになっている。
【０００８】
＜請求項４に係る発明＞
バックの上蓋の内面と断熱枠板の内周面の少なくとも一方に、冷媒や保冷材等を収容する冷材ポケットを設ける。
＜請求項５に係る発明＞
バック本体に把手を設ける。
【０００９】
＜請求項６に係る発明＞
台板、バック本体及び断熱枠板が長方形で、バック本体及び断熱枠板は、その短辺の側面を内側へ二つ折りできるようになっている。
＜請求項７に係る発明＞
台板のキャスタは、台板の長方形の下面に対し、その片側の組のキャスタと反対側の組のキャスタとが、台板の短辺の端縁からの距離を違えて取り付けてある。
【発明の効果】
【００１０】
＜請求項１に係る発明の効果＞
本発明によれば、キャスタ付き台板と、折り畳み可能な有底のバックと、これと共に折り畳むことができる四面の断熱枠板とをベルベットファスナを利用して分離自在に接合することにより、キャスタ付きの折り畳み型保冷ボックスとして簡単に組み立てることができるので、従来に比べ安価に製造できる。
また、全体を折り畳み重ね合わせてコンパクトにまとめることができ、しかも、その折り畳み重ね合わせ状態がばらけないように、ベルベットファスナ付きのフラップ部を利用して保持できるので、折り畳み重ね合わせ状態での保管や移動がし易い。
さらに、物品収納部を形成する本体となるバックは、断熱性シート材のバック本体の一辺から断熱性シート材の上蓋を延設した単純なもので、その全体をキャスタ付き台板上で折り畳むことができ、また、四面の断熱枠板をバック本体の内周四面に沿わせて収納することにより、バック本体を箱形に保持できるとともに、その断熱効果を高めることができる。しかも、この断熱枠板もバック本体と共に折り畳むことができるので、物品を収容するためにボックスの形態とする組み立て状態と、全体を折り畳み重ね合わせる折り畳み重ね合わせ状態とを簡単に切り換えることができる。
【００１１】
＜請求項２に係る発明の効果＞
断熱枠板が、断熱性シート材にて四面のそれぞれを扁平な袋状とし、各面の袋状部に発泡樹脂製断熱板を収納したものであるので、その製造が容易であるとともに、袋状部に収納する発泡樹脂製断熱板の厚さを変えることで、断熱効果の調整ができる。
【００１２】
＜請求項３に係る発明の効果＞
断熱枠板の断熱性シート材による袋状部どうしが、断熱性シート材による連結角部で連結されて折り畳むことができるので、袋状部に発砲樹脂製断熱板が収納されていても、断熱枠板をバック本体と共に容易に折り畳むことができる。
【００１３】
＜請求項４に係る発明の効果＞
バックの上蓋の内面又は断熱枠板の内周面に設けられた冷材ポケットに、ドライアイス等の冷媒や保冷材等を収容することができるので、その収納量を調整することにより、適度の保冷効果とすることができる。
【００１４】
＜請求項５に係る発明の効果＞
バック本体に把手を設けたので、把手を持って引きながらキャスタにて走行移動できるとともに、バックをキャスタ付き台板から外して持ち運びすることもできる。
【００１５】
＜請求項６に係る発明の効果＞
台板、バック本体及び断熱枠板が長方形で、バック本体及び断熱枠板は、その短辺の側面を内側へ二つ折りできるできるので、バック本体及び断熱枠板を台板上に整然と折り畳むことができる。
【００１６】
＜請求項７に係る発明の効果＞
台板の片側の組のキャスタと反対側の組のキャスタとが、長方形の台板の短辺の端縁からの距離を違えて取り付けてあるので、それぞれを折り畳み重ね合わせ状態とした複数の保冷ボックスどうしを、背合わせに重ねて保管する場合、互いのキャスタの位置が食い違うことになるため、保冷ボックスと保冷ボックスとの間に無駄な隙間をつくらずにスペース少なく保管できる。
【発明を実施するための最良の形態】
【００１７】
次に、本発明の実施例を図面に基づいて詳細に説明する。
【実施例】
【００１８】
図１及び図２は本実施例の保冷ボックスの全体の外観斜視図で、図１は上蓋を閉じた状態、図２はそれを開いた状態である。図３は分解斜視図である。
この保冷ボックスは、図３に示すように、大きくは台板１とバック２と断熱枠板３とからなる。
なお、以下の説明において芯材入り断熱シートとは、発泡ポリエチレン等の断熱芯材をアルミニウムシートで包み込んだもの、芯材無し断熱シートとは、そのような断熱芯材の無いアルミニウムシートだけのものとする。
【００１９】
台板１は、重い重量に耐える断熱性芯板（図示せず）の全面を芯材入り断熱シートで覆ったもので、その長方形の四辺のそれぞれから、芯材入り断熱シートによる四辺のフラップ部（折り返し部）１ａ〜１ｄを延設している。これらフラップ部１ａ〜１ｄは、それぞれが台板１の辺縁において折り返すことができる。各フラップ部１ａ〜１ｄの上面には帯状のベルベットファスナ４が付着されている。そのうち、台板１の短辺からのフラップ部１ａ・１ｂのベルベットファスナ４は、フラップ部１ａ・１ｂの両端からはみ出して、両端部４ａがフリーになっているとともに、これら両端部４ａの表裏両面を雌雄の関係となるベルベットファスナとしている。
【００２０】
台板１の下面には２組（４個）のキャスタ５が取り付けられ、その片側の組のキャスタの取付位置と反対側の組のキャスタの取付位置とは、台板１の長方形の下面に対し、その短辺の端縁からの距離を違えてある。
【００２１】
バック２は、芯材入り断熱シートで箱形に成形した長方形の有底のバック本体２Ａと、このバック本体２Ａの上面開口を開閉する上蓋２Ｂとからなる。上蓋２Ｂは、断熱性芯板（図示せず）の全面を断熱シートで覆ったもので、バック本体２Ａの上面開口縁の片側の長辺から延設され、その長辺縁において折り返すことができる。バック本体２Ａと連続している一辺を除く上蓋２Ｂの三辺には、芯材入り断熱シートによる三辺のフラップ部６ａ〜６ｃが延設され、これらは各辺縁において折り返すことができる。これらフラップ部６ａ〜６ｃの下面には帯状のベルベットファスナ７が付設されている。
【００２２】
上蓋２Ｂの下面には、保冷材やドライアイス等の冷媒を収容する網目状の複数の冷材ポケット８が設けられている。また、上蓋２Ｂの上面には、伝票等を収納する透明な書類ポケット９が設けられている。
【００２３】
バック本体２Ａの四面の壁部２ａ〜２ｄには、それぞれの外面の上部と下部に帯状のベルベットファスナ１０・１１が付設されているとともに、それぞれの内面の上部に帯状のベルベットファスナ１２が付設されている。また、バック本体２Ａの短辺の壁部２ａ・２ｂの外面には、帯状の布帛を逆Ｕ字状にして縫いつけた把手１３が設けられている。
なお、上蓋部２Ｂを延設している壁部２ｃの外面上部については、ベルベットファスナ１０が必ずしも必要でないため、本例では省略してある。
【００２４】
断熱枠板３は、四面で長方形の枠を形成するもので、図４及び図５に示すように、芯材無し断熱シートにより各面を袋状とし、その四面の袋状部３ａ〜３ｄを芯材無し断熱シートによる連結角部３ｅで連結し、短辺の袋状部３ａ・３ｂのそれぞれには、２枚の発泡樹脂製断熱板１４ａ・１４ｂを二つ折りできるように例えば粘着テープ１４ｃで連結したものを着脱自在に挿入し、長辺の袋状部３ｃ・３ｄのそれぞれには、そのサイズに合った一枚の発泡樹脂製断熱板１５を着脱自在に挿入したものである。
図４及び図５では、その挿入を行うことを示すために、この断熱枠板３を使用時とは上下を逆さにして図示してある。
【００２５】
発泡樹脂製断熱板１４ａ・１４ｂ及び発泡樹脂製断熱板１５を挿入した断熱枠板３は、図３及び図６に示すように、袋状部３ａ〜３ｄの開口面が下向きとなる姿勢にしてバック本体２Ａに収納する。その際、発泡樹脂製断熱板１４ａ・１４ｂ及び発泡樹脂製断熱板１５が入っている袋状部３ａ〜３ｄを、バック本体２Ａの壁部２ａ〜２ｄの内面に沿わせることで、バック本体２Ａを箱形に保持する。そのために、袋状部３ａ〜３ｄの外面の上部には、バック本体２Ａの内面上部のベルベットファスナ１２と対応するベルベットファスナ１６が付設されている。
【００２６】
また、長辺の袋状部３ｃ・３ｄの内面には、保冷材やドライアイス等の冷媒を収容する網目状の複数の冷材ポケット１７が設けられている。
【００２７】
図１２〜図１５に、各袋状部３ａ〜３ｄに発泡樹脂製断熱板１４ａ・１４ｂ・１５を入れた状態の断熱枠板３を示す。
袋状部３ａ〜３ｄどうしを連結する連結角部３ｅは、両袋状部の端縁からの芯材無し断熱性シート片を縫合したもので、両側の短辺の発泡樹脂製断熱板入り袋状部３ａ・３ｂを、図１２（Ａ）及び図１３に示すように、両側の長辺の発泡樹脂製断熱板入り袋状部３ｃ・３ｄの間の外側へ出したり、図１２（Ｂ）及び図１４に示すように、これらの間に引き込めたり、自由に切り換えることができるようになっている。
【００２８】
また、図１５に示すように、両側の短辺の発泡樹脂製断熱板入り袋状部３ａ・３ｂを両側の長辺の発泡樹脂製断熱板入り袋状部３ｃ・３ｄの間で二つ折りして、その二つ折り状態で、両側の長辺の発泡樹脂製断熱板入り袋状部３ｃ・３ｄと共に重ね合わせることができるようになっている。
【００２９】
本保冷ボックスを構成する台板１とバック２と断熱枠板３とは上記のような構造で、本保冷ボックスを物品が収納できる使用状態にするには、バック本体２Ａを台板１上に乗載して、台板１の四辺のフラップ部１ａ〜１ｄをバック本体２Ａの四面の壁部２ａ〜２ｄの外面に当てるようにして、互いのベルベットファスナ４とベルベットファスナ１１とを掛け合わせる。このとき、両短辺のフラップ部１ａ・１ｂのベルベットファスナ４のフリーとなっている両端部４ａを、両長辺のフラップ部１ｃ・１ｄとバック本体２Ａの両長辺の壁部２ｃ・２ｄとで挟んで、それらのベルベットファスナ４及びベルベットファスナ１１と掛け合わせ、四面のベルベットファスナ４が連続して四面のベルベットファスナ１１と掛け合った状態とする。
【００３０】
袋状部３ａ〜３ｄに発泡樹脂製断熱板１４ａ・１４ｂ・１５を入れた断熱枠板３を、バック本体２Ａ内に収納して、それらの四面のベルベットファスナ１２とベルベットファスナ１６とを掛け合わせ（図６参照）、バック本体２Ａをその内側から断熱枠板３によって箱形に保持する。
【００３１】
これにより本保冷ボックスは全体が図２に示すような形体となり、バック本体２Ａの冷材ポケット１７、上蓋２Ｂの冷材ポケット８にドライアイス等の冷媒や保冷材等を収容し、保冷しようとする物品をバック本体２Ａ内に収納して、図１に示すように上蓋２Ｂを閉じる。このとき、上蓋２Ｂの三辺のフラップ部６ａ〜６ｃのベルベットファスナ７をバック本体２Ａの外面のベルベットファスナ１０と掛け合わせて閉じた状態を保持する。
【００３２】
本保冷ボックスを使用しないときに折り畳んでおくには、図７に示すように、上蓋２Ｂを開き、二つ折り可能な発泡樹脂製断熱板１４ａ・１４ｂが入っている断熱枠板３の袋状部３ａ・３ｂと共に、バック本体２Ａの短辺の壁部２ａ・２ｂを二つ折りする。
【００３３】
このように断熱枠板３と共にバック本体２Ａを二つ折り状態にすると、図８に示すように、上蓋２Ｂは、その二つ折りしたバック本体２Ａ上に裏返しにして重ねることができる。
【００３４】
この後、図９及び図１０に示すように、台板１の四辺のうちの三辺のフラップ部１ａ・１ｂ・１ｄを上蓋２Ｂの三辺のフラップ部６ａ・６ｂ・６ｃに重ねて、それらのベルベットファスナ４とベルベットファスナ７とを掛け合わせる。このとき、残りの一辺のフラップ部１ｃはバック本体２Ａの壁部２ｃの外面に重ね、両短辺のベルベットファスナ４のフリーとなっている両端部４ａの一方側は、これらフラップ部１ｃとバック本体２Ａの壁部２ｃとで挟んで、フラップ部１ｃのベルベットファスナ４と掛け合わせ、他方側は、フラップ部１ｄとフラップ部６ｃとで挟んで、それらのベルベットファスナ４・７と掛け合わる。
これにより本保冷ボックスは、全体を折り畳んで重ね合わせて、その重ね合わを自身で保持した状態となる。
【００３５】
このような状態とした本保冷ボックスは、台板１の片側の組の２個のキャスタ５と反対側の組の２個のキャスタ５とが、台板１の長方形の下面の端縁からの距離を違えてあるので、図１１に示すように、複数の保冷ボックスを背合わせに重ねた状態にして保管するときに、互いのキャスタ５どうしを食い違わせて無駄な隙間をつくらずにスペース少なく保管できる。
【図面の簡単な説明】
【００３６】
【図１】本発明の実施例である保冷ボックスの、上蓋を閉じた状態での全体の外観斜視図である。
【図２】上蓋を開いた状態での外観斜視図である。
【図３】台板とバックと断熱枠板とを分離した全体の分解斜視図である。
【図４】断熱枠板の分解斜視図である。
【図５】断熱枠板の断面図である。
【図６】断熱枠板とこれを収納したバックの断面図である。
【図７】断熱枠板とバック本体とを二つ折りする状態を示す斜視図である。
【図８】バックを断熱枠板と共に折り畳み重ねた状態の斜視図である。
【図９】同上の折り畳み重ね状態を台板上で行った斜視図である。
【図１０】フラップ部により折り畳み重ね状態を保持することを示す斜視図である。
【図１１】保冷ボックスどうしを背合わせに重ねた状態の側面図である。
【図１２】発泡樹脂製断熱板を入れた断熱枠板のみを示し、（Ａ）はその短辺の袋状部を両側の長辺の袋状部の間の外側へ出した状態、（Ｂ）はその間に入れた状態である。
【図１３】短辺の袋状部を両側の長辺の袋状部の間の外側へ出した状態での平面図である。
【図１４】短辺の袋状部を両側の長辺の袋状部の間に入れた状態での平面図である。
【図１５】断熱枠板を折り畳んだ状態での平面図である。
【符号の説明】
【００３７】
１  台板
１ａ〜１ｄ  フラップ部
２  バック
２ａ〜２ｄ  壁部
２Ａ  バック本体
２Ｂ  上蓋
３  断熱枠板
３ａ〜３ｄ  袋状部
３ｅ  連結角部
４  ベルベットファスナ
５  キャスタ
６ａ〜６ｃ  フラップ部
７  ベルベットファスナ
８  冷材ポケット
９  書類ポケット
１０・１１・１２  ベルベットファスナ
１３  把手
１４ａ・１４ｂ  発泡樹脂製断熱板
１４ｃ  粘着テープ
１５  発泡樹脂製断熱板
１６  ベルベットファスナ
１７  冷材ポケット
【図１】
2008230677.tif 000003
【図２】
2008230677.tif 000004
【図３】
2008230677.tif 000005
【図４】
2008230677.tif 000006
【図５】
2008230677.tif 000007
【図６】
2008230677.tif 000008
【図７】
2008230677.tif 000009
【図８】
2008230677.tif 000010
【図９】
2008230677.tif 000011
【図１０】
2008230677.tif 000012
【図１１】
2008230677.tif 000013
【図１２】
2008230677.tif 000014
【図１３】
2008230677.tif 000015
【図１４】
2008230677.tif 000016
【図１５】
2008230677.tif 000017